(57)【特許請求の範囲】
【請求項１】
圃場に設けたポールと、このポールに設けた防霜ファン取付機構と、この防霜ファン取付機構に設けた支持手段と、この支持手段に設けた数基の防霜ファンとで構成した多頭方式の低所式防霜ファンにおいて、
この多頭方式の低所式防霜ファンは、前記支持手段に設けた円筒状の筒体と、この円筒状の筒体に支持部を介して設けた防霜用のファン及び整流板と、この防霜用のファンを駆動するモータとで構成した防霜ファンと、また前記支持手段に設けたガードと、このガード支持部を介して設けた防霜用のファンと、この防霜用のファンを駆動するモータとで構成した防霜ファンとの組合せでなり、
また、この低所式防霜ファン装置を、圃場の茶畝の角に設置し、この圃場の対角線の方向に送風し、もって、この圃場の方形範囲に送風する構成とした低所式防霜ファン装置。
【請求項２】
請求項１に記載の防霜ファン取付機構は、前記ポールに設けた昇降機構を備えた第１のケーシングと、この第１のケーシングの上に傾斜俯角調整機構を介して設けた防霜ファン用の首振り機構を備えた第２のケーシングとで構成した多頭方式の低所式防霜ファン装置。
【請求項３】
請求項２に記載の筒体及び／又はガードは、前記支持手段に風達俯角調整機構を介して設ける構成とした多頭方式の低所式防霜ファン装置。
【請求項４】
請求項４に記載の防霜ファン用の首振り機構は、首振りモータと、この首振りモータで動く駆動側リンクと、この駆動側リンクに連結するリンクアームと、このリンクアームに連結する従動側リンクと、この従動側リンクで回転する回転軸と、この回転軸に設けた首振り架台とで構成した多頭方式の低所式防霜ファン装置。
【請求項５】
請求項１に記載のポールは、昇降ポールであって、この昇降ポールは埋設ポール内に収容可能で、また埋設ポール外に引出し可能に構成した多頭方式の低所式防霜ファン装置。
【請求項６】
圃場に設けたポールと、このポールに設けた防霜ファン取付機構と、この防霜ファン取付機構に設けた支持手段と、この支持手段に設けた数基の防霜ファンとで構成した多頭方式の低所式防霜ファンにおいて、
この多頭方式の低所式防霜ファンを、前記支持手段に設けた円筒状の筒体と、この円筒状の筒体に支持部を介して設けた防霜用のファン及び整流板と、この防霜用のファンを駆動するモータとで構成した防霜ファンと、また前記支持手段に設けたガードと、このガード支持部を介して設けた防霜用のファンと、この防霜用のファンを駆動するモータとで構成した防霜ファンとの組合せでなり、かつこの低所式防霜ファン装置を、圃場の茶畝の角に設置し、この圃場の対角線の方向に送風し、もって、この圃場の方形範囲に送風する構成とした低所式防霜ファン装置を利用した送風方法であって、
前記各防霜ファンより三方向への送風空気（Ｗ１）〜（Ｗ３）を生成するとともに、この中心の防霜ファンを利用して遠方に送風し、また両端の防霜ファンを利用して遠方より手前側に送風する構成とした低所式防霜ファン装置を利用した送風方法。
【発明の詳細な説明】
【０００１】
【発明の属する技術分野】
この発明は、多頭方式の低所式防霜ファン装置と、その送風方法に関する。
【０００２】
【従来の技術】
周知の如く、茶園（茶畠）、桑畠、果樹園、果菜類、野菜類等圃場（農場）の凍霜害防止（防霜）方法では、防霜ファン装置が重宝されている。この防霜ファン装置には、建柱式防霜ファン装置と、低所式防霜ファン装置、又は移動式防霜ファン装置等があるので、概要を説明する。
【０００３】
（１）  建柱式防霜ファン装置は、圃場の枕地及び／又は圃場内に立設した建柱上に、一基の首振り・俯角調整自在な防霜ファンを設け、この防霜ファンの首振りと、防霜ファンの俯角を利用して圃場の地表面に対して逆転層の暖気を吹き降ろす構成である。しかし、この建柱式防霜ファン装置は、吹き降ろした空気（暖気）を利用して効率的な防霜ができる反面、次のような問題点が指摘されている。［１］近時、茶園の近代化、高齢化、又は人手不足等から、乗用式、又はレール走行式、クローラー走行式等による大型茶刈機、大型防除機等の如く、大型茶園管理装置が導入される傾向にある。しかし、この大型茶園管理装置の走行（使用）には、圃場内に立設する建柱が邪魔となり、導入が図れない、［２］建柱式防霜ファン装置に一基設けた防霜ファンでは、希望する防霜効果が得られない、［３］希望する防霜効果が得られない状況では、当然、多数の建柱式防霜ファン装置を要し、設備費、維持管理費（ランニンク゛コスト）等が嵩むこと、等である。
【０００４】
この問題の解決策として、昇降式の低所式防霜ファン装置、又は移動式の低所式防霜ファン装置等（以下、総称する場合には、低所式防霜ファン装置とする）が挙げられる。この昇降式の低所式防霜ファン装置は、茶樹内への収容できること、又はこの収容可により大型茶園管理装置の導入が図れること、等の特徴があり重宝される。また移動式の低所式防霜ファンは、圃場から退避できることで、大型茶園管理装置の導入が図れること、又は倉庫等に収容できること、圃場の所望する箇所で送風ができること、等の特徴があり重宝される。
【０００５】
本出願人は、この種の低所式防霜ファン装置に関し、多数の特許出願等をする。その一例を説明すると、昇降式の低所式防霜ファンがある。例えば、特開平１０−４２７２２号の茶樹内収容式低所型の茶園用防霜ファン装置（文献（１））は、茶樹（茶畝）に埋設した筒体と、筒体に挿入・突出可能な支柱と、支柱に首振り・俯角調整を設けた防霜ファンとでなり、防霜ファンを茶樹内に収容可能として大型茶園管理装置の使用、又は茶樹上に設置（突出）して凍霜害防止を図る。但し、この収容には、ガード、ファンを取外す必要がある。また他社の低所式防霜ファン装置としては、特開平１０−１１３０７６号の防霜ファン（文献（２））がある。その内容は、伸縮式ポールの先端に支持部を設け、この支持部に折畳み可能なアームを設け、このアームに送風機本体を設けてなり、ポールの収縮とアームの折畳みを介して送風機本体を、茶樹内の地面の僅か上に折畳み収容する構成であり、前述と略同じ効果が期待できる。さらに本出願人の他の低所式防霜ファン装置としては、特開２０００−５０７４８の傾斜地対応の移動式防霜ファンの台車（文献（３））がある。その内容は、圃場のレールに沿って走行（移動）可能とした構成であり、例えば、前述と略同じ効果が期待できること、又は気候条件に対応した送風ができる。
【０００６】
しかし、この種の低所式防霜ファンは、近時、大型茶園管理装置の導入等の状況から、新たな要望があり、次のような問題点が指摘されている。［１］一例として、逆転層の暖気を捉えて（キャッチして）、この暖気利用による防霜効果を期待しても不可能である、［２］低所式防霜ファン装置では、建柱式防霜ファン装置に対して、効率的な防霜効果が期待できない状況が多くなり、この低所式防霜ファン装置の台数が増加する、［３］また台数の増加は、ランニングコストの上昇を招来する、等が考えられる。
【０００７】
【発明が解決しようとする課題】
従来の低所式防霜ファン装置では、大型茶園管理装置の導入が図れることで、従来の問題点の一面を解消できる。しかし、この防霜ファンの収容に関し、例えば、防霜ファンの一部を収容するために地中に凹部（ピット）を掘る作業及び／又はガード等を外す作業、ポール又は防霜ファンの折畳み作業等を必要とする。従って、従来の低所式防霜ファン装置では、設置コストの上昇、手間を要すること、又は多数基の防霜ファン装置に対して、この作業を行なうことは、到底不可能であること、等の弊害がある。
【０００８】
また従来の低所式防霜ファン装置では、送風範囲をワイドに設定し、（小さい）首振り動作を介して効率的に送風する機構となっていない。従って、防霜ファンによる送風を、広範囲で、しかも効率的に行なうことが困難視されており、結果的に、効率的な防霜効果が期待できないこと、また低所式防霜ファン装置の台数の増加を招来すること、等の弊害が考えられていた。
【０００９】
尚、前記凹部の解消を意図して、例えば、この低所式防霜ファン装置の防霜ファンを小径として、収容を容易にした場合は、送風距離の確保が図れないこと、効率的な防霜効果が期待できないこと、等の問題が発生する。
【００１０】
上記に鑑み本発明は、大型茶園管理装置の導入を図ること、又は多頭方式の低所式防霜ファン装置において、当初より送風範囲をワイドに設定し、小さい首振り動作を介して効率的に送風し、この防霜ファンによる送風を、広範囲で、しかも効率的に行なうこと、又は効率的な防霜効果を達成し、結果的に、低所式防霜ファン装置の台数の減少と、コストの削減化を図ること、等を意図する。また防霜効果を発揮できる送風距離を確保して、低所式防霜ファンの台数を少なくすること、等を意図する。また本発明では、葉面の温度が確保された状態で、葉面風（葉面を流れる風）を安定的に、かつ広範囲に供給する。これにより、凍霜害防止を図り、かつ葉面の温度を確保する。そして、肝要なことは、固定式の多頭方式の低所式防霜ファン装置、又は首振り式の多頭方式の低所式防霜ファン装置の何れであっても、葉面に霜が降りる前に、必ず送風する。尚、首振り動作の場合には、葉面に霜が降りる前に、必ず基の位置に戻って送風することを意図する。
【００１１】
【課題を解決するための手段】
請求項１の発明は、送風範囲をワイドに設定し、固定方式（首振りなし）、又は小さい首振り動作（首振り方式）を介して広範囲で、しかも効率的に送風を行なうこと、又は効率的な防霜効果を達成し、結果的に、低所式防霜ファン装置の台数の減少と、ランニングコストの削減化を図ること、等を意図する。また大型茶園管理装置の導入を図り、利便性を確保すること、また低所式防霜ファン装置の普及促進を図ること、等を意図する。そして、また、低所式防霜ファン装置を、圃場の茶畝の角に設置し、かつ圃場の対角線の方向に送風することで、圃場の方形範囲に送風し、略方形範囲の防霜効果を可能とすることを意図する。
【００１２】
請求項１は、圃場に設けたポールと、このポールに設けた防霜ファン取付機構と、この防霜ファン取付機構に設けた支持手段と、この支持手段に設けた数基の防霜ファンとで構成した多頭方式の低所式防霜ファンにおいて、
この多頭方式の低所式防霜ファンは、前記支持手段に設けた円筒状の筒体と、この円筒状の筒体に支持部を介して設けた防霜用のファン及び整流板と、この防霜用のファンを駆動するモータとで構成した防霜ファンと、また前記支持手段に設けたガードと、このガード支持部を介して設けた防霜用のファンと、この防霜用のファンを駆動するモータとで構成した防霜ファンとの組合せでなり、
また、この低所式防霜ファン装置を、圃場の茶畝の角に設置し、この圃場の対角線の方向に送風し、もって、この圃場の方形範囲に送風する構成とした低所式防霜ファン装置である。
【００１３】
【００１４】
【００１５】
請求項２の発明は、請求項１の目的を達成すること、又は請求項１、請求項２又は請求項３に最適な防霜ファン取付機構を提供すること、等を意図する。
【００１６】
請求項２は、請求項１に記載の防霜ファン取付機構は、前記ポールに設けた昇降機構を備えた第１のケーシングと、この第１のケーシングの上に傾斜俯角調整機構を介して設けた防霜ファン用の首振り機構を備えた第２のケーシングとで構成した多頭方式の低所式防霜ファン装置である。
【００１７】
請求項３の発明は、請求項１の目的を達成すること、又は請求項１に最適な筒体及び／又はガードを提供すること、等を意図する。
【００１８】
請求項３は、請求項１に記載の筒体及び／又はガードは、前記支持手段に風達俯角調整機構を介して設ける構成とした多頭方式の低所式防霜ファン装置である。
【００１９】
請求項４の発明は、請求項１の目的を達成すること、又は請求項２に最適な防霜ファン用の首振り機構を提供すること、等を意図する。
【００２０】
請求項４は、請求項２に記載の防霜ファン用の首振り機構は、首振りモータと、この首振りモータで動く駆動側リンクと、この駆動側リンクに連結するリンクアームと、このリンクアームに連結する従動側リンクと、この従動側リンクで回転する回転軸と、この回転軸に設けた首振り架台とで構成した多頭方式の低所式防霜ファン装置である。
【００２１】
請求項５の発明は、請求項１の目的を達成すること、又は請求項１に最適なポール構造を提供すること、等を意図する。
【００２２】
請求項５は、請求項１に記載のポールは、昇降ポールであって、この昇降ポールは埋設ポール内に収容可能で、また埋設ポール外に引出し可能に構成した多頭方式の低所式防霜ファン装置である。
【００２３】
請求項６の発明は、請求項１の目的を達成するに最適な低所式防霜ファン装置を利用した送風方法を提供すること、等を意図する。
【００２４】
請求項６は、圃場に設けたポールと、このポールに設けた防霜ファン取付機構と、この防霜ファン取付機構に設けた支持手段と、この支持手段に設けた数基の防霜ファンとで構成した多頭方式の低所式防霜ファンにおいて、
この多頭方式の低所式防霜ファンを、前記支持手段に設けた円筒状の筒体と、この円筒状の筒体に支持部を介して設けた防霜用のファン及び整流板と、この防霜用のファンを駆動するモータとで構成した防霜ファンと、また前記支持手段に設けたガードと、このガード支持部を介して設けた防霜用のファンと、この防霜用のファンを駆動するモータとで構成した防霜ファンとの組合せでなり、かつこの低所式防霜ファン装置を、圃場の茶畝の角に設置し、この圃場の対角線の方向に送風し、もって、この圃場の方形範囲に送風する構成とした低所式防霜ファン装置を利用した送風方法であって、
前記各防霜ファンより三方向への送風空気（Ｗ１）〜（Ｗ３）を生成するとともに、この中心の防霜ファンを利用して遠方に送風し、また両端の防霜ファンを利用して遠方より手前側に送風する構成とした低所式防霜ファン装置を利用した送風方法である。
【００２５】
【発明の実施の形態】
以下、本発明の一実施態様を、模式的に示した、図１２（イ）、（ロ）の一例を基に説明する。この例では、図７に示した三基ともケーシングを備えた防霜ファンを設けてなる多頭方式の低所式防霜ファン装置で、（イ）は固定方式を利用して茶畝に対して送風する。例えば、茶樹の上に設置された各防霜ファン（三基の防霜ファン）より、三方向への略同じ距離に達する送風空気（Ｗ１）〜（Ｗ３）を示している。従って、当初より送風範囲をワイドに設定し、固定方式で広域的に送風する。従って、効率的な防霜効果を達成し、結果的に、低所式防霜ファン装置の台数の減少と、コスト又はランニングコスト等の軽減化、削減化を図ること、等を意図する。またこの例では、送風空気の重畳部（Ｗ４）、（Ｗ５）の送風距離の拡大が利用できる。従って、一部の防霜効果面積を、略１．２〜１．５倍程度拡大できることを実験で確認しており（尚、略１．２〜１．６倍程度は可能である）、大きな防霜効果の拡充が期待できる。この例の如く、各防霜ファンの固定方式においては、重畳部（Ｗ４）、（Ｗ５）の送風距離の拡大が顕著である。この例の（ロ）は、（イ）の構成において、首振り方式を採用した一例であり、当初より送風範囲をワイドに設定し、小さい首振り動作を介して効率的に送風し、この防霜ファンによる送風を、広範囲で、しかも効率的に行なうこと、又は効率的な防霜効果を達成し、結果的に、低所式防霜ファン装置の台数の減少と、コストの軽減化等を図ること、等を意図する。この例においても、前記の重畳部（図示せず）の送風距離の拡大が期待できる。尚、矢印は、送風空気（Ｗ１）〜（Ｗ３）の移動を示しており、Ａが向って左方向（行き）、Ｂが向って右方向（帰り）、をそれぞれ示す。
【００２６】
次に図１３の一例を基に説明する。この例では、図４に示した構成例であり、中心にケーシングを備えた防霜ファンを、またその両端にガードを備えた防霜ファンを設けてなる多頭方式の低所式防霜ファン装置を、茶畝の角に設け、この低所式防霜ファン装置のケーシングを備えた防霜ファンより対角線の方向に向って送風する。例えば、各防霜ファンより三方向への送風空気（Ｗ１）〜（Ｗ３）を示している。この例では、中心の防霜ファンを利用して遠方に送風し、また両端の防霜ファンを利用して遠方より手前側に送風する。従って、この例では、模式的には、略方形範囲で防霜効果が期待できることと、茶畝に邪魔されることが少なくなりスムーズな送風が期待できる。尚、防霜ファンの首振りは、前述の図１２（ロ）に準ずる。
【００２７】
何れにしても、圃場内の茶樹に送風して、無駄をなくしつつ、確実な防霜効果を確保する。そして、各例とも、茶樹の上に設置された数基の防霜ファンから、各方向に向かって送風される。この茶樹の葉面に対して如何に送風を行うかは、例えば、茶樹の生育・樹齢、また葉面の温度等の条件、地面の形態、又は気流の流れ、気温等により決定される。従って、基本的には、次の要素が考えられる。
［１］  葉面に対する送風方向は、（イ）略水平方向の送風（水平送風）、（ロ）俯角をもって送風（俯角送風）とがある。
［２］  また葉面に対する送風範囲は、（ハ）固定方式と、（ニ）首振り方式とがある。
［３］  数基の防霜ファンを個別に作動する。例えば、（ホ）中心の防霜ファンを固定方式、左右の防霜ファンを首振り方式とする。また（ヘ）中心の防霜ファンを首振り方式、左右の防霜ファンを固定方式とする。さらに例えば、（ト）中心の防霜ファンを水平送風、左右の防霜ファンを俯角送風とする。また（チ）中心の防霜ファンを俯角送風、左右の防霜ファンを水平送風とする。
［４］  数基の防霜ファンを同じ条件で作動する。
【００２８】
以上で説明した送風方式があり、この［１］〜［３］における（イ）〜（チ）と［４］とを適宜選択することで、より確実、簡易な方法で防霜効果を図る。
【００２９】
そこで、前記要素と、凍霜害の発生が予想される気候条件、地形等との関係を、以下に説明する。
【００３０】
（１）  温度が低めの状態では、集中送風方式が理想であり、例えば、（ロ）俯角送風方式で、（ハ）固定方式を採用する。
【００３１】
（２）  温度が高めの状態では、拡散（間欠）送風方式が理想であり、例えば、（イ）水平送風方式で、（ニ）首振り方式を採用する。
【００３２】
（３）  地形が水平と、凹凸等の如く変化がある場合には、原則として、地形に準ずる。そして、温度の高低がある場合には、前述の通り送風方式を採用する。例えば、高い地形に対しては、上向きの俯角をもって送風する方式を、また低い地形に対しては、下向きの俯角をもって送風する方式を採用する。
【００３３】
尚、いずれにしても、低所式防霜ファン装置の特徴を最大限に発揮して、広い面積に亙って送風して、この広い面積にある各種の果菜類、野菜類等圃場（農場）の防霜効果（凍霜害防止）  が図れる。この低所式防霜ファン装置の採用は、大型茶園管理装置の導入と、その使用の確保に途を開き、しかも昨今の農業環境に対応できること、等の実益がある。また地形及び／又は気候条件、茶樹の成長、状況等の如く、種々の条件に対応した取扱いができること、またこの防霜効果は、品質向上、美味な米、麦、野菜、果物、果実、花類等の作物の生育、収穫等が図れること、又は芝、木、植物等の生物の生育、管理等ができること、等の特徴がある。またこれらの早生栽培に途を開くこと、又は生育、栽培等に最適な環境を提供できること、また栽植の最適化とその維持、又は植木・樹の植栽本数の向上が図れること、等の実益がある。
【００３４】
尚、図示しないが、必要により、防霜ファンを、逆転層に到達する構成を採用して、このエリアの暖気を利用することも可能である。
【００３５】
【実施例】
以下、本発明の一実施例を説明する。尚、本発明では、同じ構造の部品は、同じ番号及び名称を使用する。
【００３６】
圃場Ｈの主として茶樹Ｈ１内（大型茶園管理装置の走行に障害とならない箇所）に立設した低所式防霜ファン装置１は、茶樹Ｈ１内の地面Ｈ２に埋設した埋設ポール２と、この埋設ポール２に設けた昇降ポール３と、この昇降ポール３に設けた第１のケーシング４（防霜ファン取付機構の一部）と、この第１のケーシング４に設けた傾斜俯角調整機構５と、この傾斜俯角調整機構５に設けた第２のケーシング６（防霜ファン取付機構の一部）と、この第２のケーシング６に設けた支持手段７と、この支持手段７で架承される防霜ファン８とで構成されている。この例では、支持手段７は、第２のケーシング６に設けた少なくとも一本の本体支持部７０と、この本体支持部７０よりそれぞれ延設した数本の支持腕７１とで構成する。尚、具体的には、この支持腕７１に、後述する可動板を介して防霜ファン８を設けてある。
【００３７】
この昇降ポール３（第１・２の昇降ポール３０、３１）は、第１のケーシング４に設けた昇降用のヂタ４０と、この昇降用のヂタ４０に設けた第１の螺軸４１と、この螺軸４１に連繋する第２の螺軸４２と、この第１・２の螺軸４１、４２に噛合する１個又は数個のナット４３、４４と、このナット４３が固定される前記第２の螺軸４２と、またナット４４が固定されるベース４６に固止した角筒４５及びジャッキ機構（図示せず）とで構成されており、この昇降用のヂタ４０の正転で第１の螺軸４１が上昇し、後述する第１の昇降ポール３０が上昇する（埋設ポールより突出する）。この第１の昇降ポール３０が上昇限に達した段階で、この第１の昇降ポール３０に設けた係止片が、第２の昇降ホポール３１の被係止部に係止する。その後、さらに昇降用のモータ４０の正転で第１・２の螺軸４１、４２が上昇し、後述する第１・２の昇降ポール３０、３１が上昇する（埋設ポールより突出する）。この第１・２の昇降ポール３０、３１、ナット４３、４４等の構成は一例である。尚、昇降用のモータ４０に設けた第１・２の螺軸４１、４２の逆転で、第１・２の昇降ポール３０、３１は、埋設ポール２に収容される。
【００３８】
前記第２のケーシング６には、首振り機構６０が設けられており、この首振り機構６０は、首振り用のヂタ６１と、この首振り用のヂタ６１に設けた駆動側リンク６２と、この駆動側リンク６２に連結するリンクアーム６３と、このリンクアーム６３に連結する従動側リンク６４と、この従動側リンク６４で回転する回転軸６５と、この回転軸６５に設けた首振り用の架台６６とで構成されている。従って、首振り用のヂタ６１の回転で駆動側リンク６２が回転する。この駆動側リンク６２の回転に伴って、リンクアーム６３が図１の図面上で左右に動き、このリンクアーム６３の左右の動きに伴って従動側リンク６４が所定角度回転する。この従動側リンク６４の回転により、回転軸６５が所定範囲（例えば、小さい範囲）において動く（首振り動作する）。この動きは、第２のケーシング６の上に架承した首振り用の架台６６に伝達されることで、当該首振り用の架台６６に首振り動作が付与される。この首振り機構６０は一例である。
【００３９】
前記必要により付設される（防霜ファン８の）傾斜俯角調整機構５は、第２のケーシング６に設けた対の止め具６７と、この第２のケーシング６に対で設けた対の長孔１０ａを備えた対の壁面１０ｂを有する固定台１０とで構成し、止め具６７の緊締解除で首振り用の架台６６及び防霜ファン８の角度を変更し、この変更した位置における止め具６７の緊締による操作を介して防霜ファン８の俯角を調整する。
【００４０】
図中１１は必要により付設される風達俯角調整機構で、この風達俯角調整機構１１は、分岐式の支持手段７、又は防霜ファン８のモータベースに設けた支持手段７に付設した対の止め具７２と、この支持手段７に対で設けた長孔１１０ａを備えた可動板１１０とで構成し、止め具７２の緊締解除で防霜ファン８の角度を変更し、この変更した位置における止め具７２の緊締による操作を介して風達俯角を調整する。
【００４１】
前記防霜ファン８は、図６〜図８の筒状のケーシング８０を備えた構造と、図９〜図１１の網体、整流体等でなるガード８４を備えた構造とがある。この図６〜図８の防霜ファン８は、外郭を構成する筒状の筒体（ケーシング）８０と、この筒体８０に設けた整流板８１、又は支持部（図示せず）と、この支持部に設けた防霜用のファン８２及びモータ８３とで構成されている。この整流板８１は、整流効果及び／又は到達距離の拡充、また安全性、小鳥の進入防止等を意図する。この整流板８１は、その先端を筒体８０に螺子止め等の止め具８１ａで取付け、基端を止め板８１ｂに差込み係止する構成であり、簡易な取付けと、交換の容易化等を意図する。またこの図９〜図１１の防霜ファン８は、外郭を構成する略円盤状のガード８４と、支持手段７に設けたモータベース８３ａと、このモータベース８３ａに設けたモータ８３及び防霜用のファン８２とで構成されている。そして、このガード８４は、安全性、小鳥、障害物等の進入防止等を意図する。
【００４２】
尚、筒体８０の裏面側に保護網８０ａを設け、人の手の挿入防止、怪我の回避、又は鳥、障害物等の進入防止を図り、防霜用のファン８２を保護すること、確実な送風を図ること、等を意図する。
【００４３】
【発明の効果】
請求項１の発明は、圃場に設けたポールと、ポールに設けた防霜ファン取付機構と、防霜ファン取付機構に設けた支持手段と、支持手段に設けた数基の防霜ファンとで構成した多頭方式の低所式防霜ファンにおいて、
多頭方式の低所式防霜ファンは、支持手段に設けた円筒状の筒体と、円筒状の筒体に支持部を介して設けた防霜用のファン及び整流板と、防霜用のファンを駆動するモータとで構成した防霜ファンと、また支持手段に設けたガードと、ガード支持部を介して設けた防霜用のファンと、防霜用のファンを駆動するモータとで構成した防霜ファンとの組合せでなり、
また、低所式防霜ファン装置を、圃場の茶畝の角に設置し、圃場の対角線の方向に送風し、もって、圃場の方形範囲に送風する構成とした低所式防霜ファン装置である。従って、送風範囲をワイドに設定し、固定方式、又は小さい首振り動作を介して広範囲で、しかも効率的に送風が行なえること、又は効率的な防霜効果を達成し、結果的に、低所式防霜ファン装置の台数の減少と、ランニングコストの削減化が図れること、等の特徴がある。また大型茶園管理装置の導入を図り、利便性を確保できること、また低所式防霜ファン装置の普及促進が図れること、等の実益がある。さらに、低所式防霜ファン装置を、圃場の茶畝の角に設置し、かつ圃場の対角線の方向に送風することで、圃場の方形範囲に送風し、略方形範囲の防霜効果が期待できる。
【００４４】
【００４５】
請求項２の発明は、請求項１に記載の防霜ファン取付機構は、ポールに設けた昇降機構を備えた第１のケーシングと、第１のケーシングの上に傾斜俯角調整機構を介して設けた防霜ファン用の首振り機構を備えた第２のケーシングとで構成した多頭方式の低所式防霜ファン装置である。従って、請求項１の目的を達成できること、又は請求項１に最適な防霜ファン取付機構を提供できること、等の特徴がある。
【００４６】
請求項３の発明は、請求項１に記載の筒体及び／又はガードは、支持手段に風達俯角調整機構を介して設ける構成とした多頭方式の低所式防霜ファン装置である。従って、請求項１の目的を達成できること、又は請求項１に最適な筒体及び／又はガードを提供できること、等の特徴がある。
【００４７】
請求項４の発明は、請求項２に記載の防霜ファン用の首振り機構は、首振りモータと、首振りモータで動く駆動側リンクと、駆動側リンクに連結するリンクアームと、リンクアームに連結する従動側リンクと、従動側リンクで回転する回転軸と、回転軸に設けた首振り架台とで構成した多頭方式の低所式防霜ファン装置である。従って、請求項１の目的を達成できること、又は請求項２に最適な防霜ファン用の首振り機構を提供できること、等の特徴がある。
【００４８】
請求項５の発明は、請求項１に記載のポールは、昇降ポールであって、この昇降ポールは埋設ポール内に収容可能で、また埋設ポール外に引出し可能に構成した多頭方式の低所式防霜ファン装置である。従って、請求項１の目的を達成できること、又は請求項１に最適なポール構造を提供できること、等の特徴がある。
【００４９】
請求項６の発明は、圃場に設けたポールと、このポールに設けた防霜ファン取付機構と、防霜ファン取付機構に設けた支持手段と、支持手段に設けた数基の防霜ファンとで構成した多頭方式の低所式防霜ファンにおいて、
多頭方式の低所式防霜ファンを、支持手段に設けた円筒状の筒体と、円筒状の筒体に支持部を介して設けた防霜用のファン及び整流板と、防霜用のファンを駆動するモータとで構成した防霜ファンと、また支持手段に設けたガードと、ガード支持部を介して設けた防霜用のファンと、防霜用のファンを駆動するモータとで構成した防霜ファンとの組合せでなり、かつ低所式防霜ファン装置を、圃場の茶畝の角に設置し、この圃場の対角線の方向に送風し、もって、圃場の方形範囲に送風する構成とした低所式防霜ファン装置を利用した送風方法であって、
各防霜ファンより三方向への送風空気（Ｗ１）〜（Ｗ３）を生成するとともに、中心の防霜ファンを利用して遠方に送風し、また両端の防霜ファンを利用して遠方より手前側に送風する構成とした低所式防霜ファン装置を利用した送風方法である。従って、請求項６は、請求項１の目的を達成するに最適な低所式防霜ファン装置を利用した送風方法を提供できること、等の特徴を有する。
【図面の簡単な説明】
【図１】多頭方式の低所式防霜ファンを圃場に設け、茶樹内にセットした状態の一例を示した模式図
【図２】多頭方式の低所式防霜ファンを圃場に設け、葉面上にセットした状態の一例を示した模式図
【図３】多頭方式の低所式防霜ファンを筒状のケーシングを備えた構造と、ガード用の網体を備えた構造を組み合せた一例を示す正面図
【図４】図３の平面図
【図５】図３の側面図
【図６】多頭方式の低所式防霜ファンを筒状のケーシングを備えた構造とした一例を示す正面図
【図７】図６の平面図
【図８】図６の側面図
【図９】多頭方式の低所式防霜ファンをガード用の網体を備えた構造とした一例を示す正面図
【図１０】図９の平面図
【図１１】図９の側面図
【図１２】多頭方式の低所式防霜ファンによる風の分布の一例を示した俯瞰図、（イ）は茶畝に対して送風し、例えば、茶樹の上に設置された各防霜ファン（三基の防霜ファン）より、三方向への送風空気（Ｗ１）〜（Ｗ３）を示す、（ロ）は前記（イ）の他の例を示す
【図１３】多頭方式の低所式防霜ファンによる風の分布の一例を示した俯瞰図、茶畝の角より対角線に向って、各防霜ファンより三方向への送風空気（Ｗ１）〜（Ｗ３）を示す
【図１４】多頭方式の低所式防霜ファンを筒状のケーシングを備えた構造とした一例の整流板と筒体との関係を示した拡大正面図
【符号の説明】
１            低所式防霜ファン装置
２            埋設ポール
３            昇降ポール
３０          第１の昇降ポール
３１          第２の昇降ポール
４            第１のケーシング
４０          昇降用のモータ
４１          螺軸
４２          螺軸
４３          ナット
４４          ナット
４５          角筒
４６          ベース
５            傾斜俯角調整機構
６            第２のケーシング
６０          首振り機構
６１          首振り用のモータ
６２          駆動側リンク
６３          リンクアーム
６４          従動側リンク
６５          回転軸
６６          首振り用の架台
６７          止め具
７            支持手段
７０          本体支持部
７１          支持腕
７２          止め具
８            防霜ファン
８０          ケーシング
８０ａ        保護網
８１          整流板
８１ａ        止め具
８１ｂ        止め板
８２          防霜用のファン
８３          モータ
８３ａ        モータベース
８４          ガード
１０          固定台
１０ａ        長孔
１０ｂ        壁面
１１          風達俯角調整機構
１１０ａ      長孔
１１０        可動板
Ｈ            圃場
Ｈ１          茶樹
Ｈ２          地面
（Ｗ１）      送風空気
（Ｗ２）      送風空気
（Ｗ３）      送風空気
（Ｗ４）      送風空気の重畳部
（Ｗ５）      送風空気の重畳部
【図１】
0004371352.tif 000002
【図２】
0004371352.tif 000003
【図３】
0004371352.tif 000004
【図４】
0004371352.tif 000005
【図５】
0004371352.tif 000006
【図６】
0004371352.tif 000007
【図７】
0004371352.tif 000008
【図８】
0004371352.tif 000009
【図９】
0004371352.tif 000010
【図１０】
0004371352.tif 000011
【図１１】
0004371352.tif 000012
【図１２】
0004371352.tif 000013
0004371352.tif 000014
【図１３】
0004371352.tif 000015
【図１４】
0004371352.tif 000016